(57)【要約】【課題】支持部材とシアプレートとの間に隙間が形成されることを抑制できるシアプレートの取付構造およびシアプレートの取付方法を提供すること。【解決手段】連通路溶接工程により連通路２が台座Ｐに溶接固定された後に、背面溶接工程によりシアプレート１の背面１ｂが台座Ｐに溶接固定されるので、先の連通路溶接工程における溶接部分（連通路２と台座Ｐとの結合）を利用して、後の背面溶接工程における溶接部分（背面１ｂと台座Ｐとの間の溶接部分）の凝固時の引けによるシアプレート１の傾斜や溶接ひずみによるシアプレート１の反りを抑制できる。その結果、支持部材Ｓとシアプレート１との間に隙間が形成されることを抑制できる。【選択図】図３
2017125524.tif 000002
【特許請求の範囲】
【請求項１】
直方体形状に形成されるシアプレートを備え、そのシアプレートの長手方向に沿う当接面が、台座に締結固定される支持部材の側面に当接されると共に、前記当接面の反対面となる背面が前記台座に溶接固定されたシアプレートの取付構造において、
前記シアプレートは、その底面に一端が開口されると共に他端が前記底面を除く外面に開口される連通路を備え、その連通路の少なくとも一端が前記台座に溶接固定されていることを特徴とするシアプレートの取付構造。
【請求項２】
前記連通路は、前記底面とその底面の反対面となる上面との間を貫通する貫通孔として形成されることを特徴とする請求項１記載のシアプレートの取付構造。
【請求項３】
前記連通路は、前記当接面および背面の間の中間位置よりも前記当接面に近い位置に配設されることを特徴とする請求項２記載のシアプレートの取付構造。
【請求項４】
前記シアプレートは、前記当接面および背面を連結する一対の側面が前記台座に溶接固定され、
前記連通路は、前記当接面および背面に沿って複数が列設され、
複数の前記連通路のうちの最外方に位置する前記連通路と前記側面との間の間隔が、複数の前記連通路のうちの隣接するものどうしの間の間隔よりも大きな間隔に設定されることを特徴とする請求項２又は３に記載のシアプレートの取付構造。
【請求項５】
前記連通路は、一端が前記底面に開口されると共に他端が前記背面に開口され、前記底面に凹設される凹溝として形成されることを特徴とする請求項１記載のシアプレートの取付構造。
【請求項６】
前記連通路は、一端が前記底面に開口されると共に他端が前記側面に開口され、前記底面に凹設される凹溝として形成されることを特徴とする請求項１記載のシアプレートの取付構造。
【請求項７】
直方体形状に形成されるシアプレートの長手方向に沿う当接面が、台座に締結固定される支持部材の側面に当接されると共に、前記当接面の反対面となる背面を前記台座に溶接固定されたシアプレートの取付方法において、
一端が底面に開口されると共に他端が前記底面を除く外面に開口される連通路を備える前記シアプレートを、前記当接面を前記支持部材の側面に当接させると共に前記底面を前記台座に当接させた状態に設置する設置工程と、
その設置工程により前記台座に設置した前記シアプレートの前記連通路の少なくとも一端を前記台座に溶接固定する連通路溶接工程と、
その連通路溶接工程により前記連通路の少なくとも一端が前記台座に溶接された前記シアプレートの前記背面を前記台座に溶接固定する背面溶接工程と、を備えることを特徴とするシアプレートの取付方法。
【発明の詳細な説明】
【技術分野】
【０００１】
本発明は、シアプレートの取付構造およびシアプレートの取付方法に関し、特に、支持部材とシアプレートとの間に隙間が形成されることを抑制できるシアプレートの取付構造およびシアプレートの取付方法に関するものである。
【背景技術】
【０００２】
例えば、モーターやエンジンなどの振動発生体や水門などの構造体を支持するための部材（支持部材）を、ボルトにより台座に締結固定する構造が知られている。このような構造では、支持部材にせん断力が作用され、ボルトの破断を招く恐れがある。そこで、支持部材に正面（当接面）を当接させたシアプレートの背面を台座に溶接固定し、かかるシアプレートにせん断力を負担させることが行われる（特許文献１）。
【先行技術文献】
【特許文献】
【０００３】
【特許文献１】実開平０６−００９３５４号公報（例えば、図５など）
【発明の概要】
【発明が解決しようとする課題】
【０００４】
しかしながら、上述した従来の技術では、シアプレートの背面を溶接すると、溶接部分の凝固時の引けによりシアプレートが傾斜したり、溶接ひずみによりシアプレートに反りが発生して、支持部材との間に隙間が形成されるという問題点があった。シアプレートの強度は、溶接部分のせん断力によるところ、支持部材とシアプレートとの間に隙間が形成されていると、せん断力を受けることができないため、十分な強度を発揮することができない。
【０００５】
本発明は、上述した問題点を解決するためになされたものであり、支持部材とシアプレートとの間に隙間が形成されることを抑制できるシアプレートの取付構造およびシアプレートの取付方法を提供することを目的としている。
【課題を解決するための手段】
【０００６】
この目的を達成するために、請求項１記載のシアプレートの取付構造は、直方体形状に形成されるシアプレートを備え、そのシアプレートの長手方向に沿う当接面が、台座に締結固定される支持部材の側面に当接されると共に、前記当接面の反対面となる背面が前記台座に溶接固定されたものであり、前記シアプレートは、その底面に一端が開口されると共に他端が前記底面を除く外面に開口される連通路を備え、その連通路の少なくとも一端が前記台座に溶接固定されている。
【０００７】
請求項２記載のシアプレートの取付構造は、請求項１記載のシアプレートの取付構造において、前記連通路は、前記底面とその底面の反対面となる上面との間を貫通する貫通孔として形成される。
【０００８】
請求項３記載のシアプレートの取付構造は、請求項２記載のシアプレートの取付構造において、前記連通路は、前記当接面および背面の間の中間位置よりも前記当接面に近い位置に配設される。
【０００９】
請求項４記載のシアプレートの取付構造は、請求項２又は３に記載のシアプレートの取付構造において、前記シアプレートは、前記当接面および背面を連結する一対の側面が前記台座に溶接固定され、前記連通路は、前記当接面および背面に沿って複数が列設され、複数の前記連通路のうちの最外方に位置する前記連通路と前記側面との間の間隔が、複数の前記連通路のうちの隣接するものどうしの間の間隔よりも大きな間隔に設定される。
【００１０】
請求項５記載のシアプレートの取付構造は、請求項１記載のシアプレートの取付構造において、前記連通路は、一端が前記底面に開口されると共に他端が前記背面に開口され、前記底面に凹設される凹溝として形成される。
【００１１】
請求項６記載のシアプレートの取付構造は、請求項１記載のシアプレートの取付構造において、前記連通路は、一端が前記底面に開口されると共に他端が前記側面に開口され、前記底面に凹設される凹溝として形成される。
【００１２】
請求項７記載のシアプレートの取付方法は、直方体形状に形成されるシアプレートの長手方向に沿う当接面が、台座に締結固定される支持部材の側面に当接されると共に、前記当接面の反対面となる背面を前記台座に溶接固定されたシアプレートを取り付ける方法であって、一端が底面に開口されると共に他端が前記底面を除く外面に開口される連通路を備える前記シアプレートを、前記底面を前記台座に当接させた状態に設置する設置工程と、その設置工程により前記台座に設置した前記シアプレートの前記連通路の少なくとも一端を前記台座に溶接固定する連通路溶接工程と、その連通路溶接工程により前記連通路の少なくとも一端が前記台座に溶接された前記シアプレートの前記背面を前記台座に溶接固定する背面溶接工程と、を備える。
【発明の効果】
【００１３】
請求項１記載のシアプレートの取付構造によれば、シアプレートは、その底面に一端が開口されると共に他端が底面を除く外面に開口される連通路を備え、その連通路の少なくとも一端が台座に溶接固定されている。よって、かかる連通路の一端を台座に溶接固定した後に、シアプレートの背面を台座に溶接固定することで、溶接部分の凝固時の引けによりシアプレートが傾斜することや溶接ひずみによりシアプレートに反りが発生することを抑制できる。その結果、支持部材とシアプレートとの間に隙間が形成されることを抑制できる。
【００１４】
なお、シアプレートの底面を除く外面とは、直方体形状の６面のうちの底面を除く５面を意味する。よって、かかる外面には、当接面および背面が含まれる。また、連通路の他端は、前記５面のうちの少なくとも１の面に開口されていれば足りる趣旨である。
【００１５】
請求項２記載のシアプレートの取付構造によれば、請求項１記載のシアプレートの取付構造の奏する効果に加え、連通路は、底面とその底面の反対面となる上面との間を貫通する貫通孔として形成されるので、台座に載置したシアプレートの上面から溶接トーチを連通路へ挿入して、溶接作業を行うことができる。よって、かかる溶接作業の作業性の向上を図ることができる。また、連通路が底面と上面とを貫通する貫通孔として形成されることで、溶接金属を連通路内に留めておくことができる。よって、溶接金属が、台座の上面（支持部材の載置面）やシアプレートの当接面（支持部材の側面に当接される面）にはみ出すことを抑制できる。従って、はみ出した溶接金属を除去する作業が必要となることを未然に回避できる。
【００１６】
請求項３記載のシアプレートの取付構造によれば、請求項２記載のシアプレートの取付構造の奏する効果に加え、連通路は、当接面および背面の間の中間位置よりも当接面に近い位置に配設されるので、連通路の一端を台座に溶接固定した後に、シアプレートの背面を台座に溶接固定する際には、背面と台座との間の溶接部分における凝固時の引けによるシアプレートの傾斜や溶接ひずみによるシアプレートの反りに対する抗力を高めることができる。その結果、支持部材とシアプレートとの間に隙間が形成されることを抑制できる。
【００１７】
請求項４記載のシアプレートの取付構造によれば、請求項２又は３に記載のシアプレートの取付構造の奏する効果に加え、シアプレートは、当接面および背面を連結する一対の側面が台座に溶接固定され、連通路は、当接面および背面に沿って複数が列設され、複数の連通路のうちの最外方に位置する連通路と側面との間の間隔が、複数の連通路のうちの隣接するものどうしの間の間隔よりも大きな間隔に設定されるので、連通路の形成個数を少なくすることができる。
【００１８】
即ち、背面と台座との間の溶接部分における凝固時の引けや溶接ひずみによる反りに対する抗力は、連通路よりも側面の方が大きいため、最外方に位置する連通路と側面との間の間隔を広くしておくことで、これらの抗力が重複して無駄になることを抑制でき、その分、連通路の形成個数を少なくできる。
【００１９】
請求項５記載のシアプレートの取付構造によれば、請求項１記載のシアプレートの取付構造の奏する効果に加え、連通路は、一端が底面に開口されると共に他端が背面に開口され、底面に凹設される凹溝として形成されるので、シアプレートの連通路と台座との溶接面積を確保できる。よって、その分、背面と台座との間の溶接部分における凝固時の引けや溶接ひずみによる反りに対する抗力を高めることができる。その結果、支持部材とシアプレートとの間に隙間が形成されることを抑制できる。
【００２０】
また、連通路の他端は、背面に開口されるので、連通路から溶接金属がはみ出したとしても、そのはみ出し方向を支持部材とは反対側とできる。即ち、支持部材の載置面となる台座の上面やシアプレートの当接面（支持部材の側面に当接する面）には、はみ出さないので、はみ出した溶接金属を除去する作業を不要とできる。
【００２１】
請求項６記載のシアプレートの取付構造によれば、請求項１記載のシアプレートの取付構造の奏する効果に加え、シアプレートは、当接面および背面を連結する側面が台座に溶接固定され、連通路は、一端が底面に開口されると共に他端が側面に開口され、底面に凹設される凹溝として形成されるので、シアプレートの連通路と台座との溶接面積を確保できる。よって、その分、背面と台座との間の溶接部分における凝固時の引けや溶接ひずみによる反りに対する抗力を高めることができ、その結果、支持部材とシアプレートとの間に隙間が形成されることを抑制できる。
【００２２】
請求項７記載のシアプレートの取付方法によれば、一端が底面に開口されると共に他端が底面を除く外面に開口される連通路を備えるシアプレートを、底面を台座に当接させた状態に設置する設置工程と、その設置工程により台座に設置したシアプレートの連通路の少なくとも一端を台座に溶接固定する連通路溶接工程と、その連通路溶接工程により連通路の少なくとも一端が台座に溶接されたシアプレートの背面を台座に溶接固定する背面溶接工程とを備えるので、背面溶接工程における溶接部分（背面と台座との間の溶接部分）の凝固時の引けによりシアプレートが傾斜することや溶接ひずみによりシアプレートに反りが発生することを抑制できる。その結果、支持部材とシアプレートとの間に隙間が形成されることを抑制できる。
【００２３】
即ち、連通路溶接工程により連通路の少なくとも一端が台座に溶接固定された後に、背面溶接工程によりシアプレートの背面が台座に溶接固定されるので、先の連通路溶接工程における溶接部分（連通路の一端と台座との結合）を利用して、後の背面溶接工程における溶接部分（背面と台座との間の溶接部分）の凝固時の引けによるシアプレートの傾斜や溶接ひずみによるシアプレートの反りを抑制できる。その結果、支持部材とシアプレートとの間に隙間が形成されることを抑制できる。
【図面の簡単な説明】
【００２４】
【図１】（ａ）は、本発明の第１実施形態におけるシアプレートの取付構造の上面図であり、（ｂ）は、シアプレートの取付構造の側面図である。
【図２】（ａ）は、シアプレートの上面図であり、（ｂ）は、図２（ａ）のＩＩｂ−ＩＩｂ線におけるシアプレートの断面図であり、（ｃ）は、図２（ａ）のＩＩｃ方向視におけるシアプレートの側面図である。
【図３】（ａ）から（ｄ）は、シアプレートの上面図である。
【図４】（ａ）は、第２実施形態におけるシアプレートの上面図であり、（ｂ）は、図４（ａ）のＩＶｂ−ＩＶｂ線におけるシアプレートの断面図であり、（ｃ）は、図４（ａ）のＩＶｃ−ＩＶｃ線におけるシアプレートの断面図である。
【図５】（ａ）、（ｃ）、（ｅ）及び（ｇ）は、シアプレートの上面図であり、（ｂ）、（ｄ）、（ｆ）及び（ｈ）は、シアプレートの断面図である。
【図６】（ａ）は、第３実施形態におけるシアプレートの上面図であり、（ｂ）は、図６（ａ）のＶＩｂ−ＶＩｂ線におけるシアプレートの断面図であり、（ｃ）は、図６（ａ）のＶＩｃ−ＶＩｃ線におけるシアプレートの断面図である。
【発明を実施するための形態】
【００２５】
以下、本発明の好ましい実施形態について、添付図面を参照して説明する。図１（ａ）は、本発明の第１実施形態におけるシアプレート１の取付構造の上面図であり、図１（ｂ）は、シアプレート１の取付構造の側面図である。なお、図１では、被支持体Ｍが二点鎖線を用いて模式的に図示される。
【００２６】
図１に示すように、台座Ｐには、被支持体Ｍを支持する支持部材Ｓが複数のボルトＢにより締結固定される。被支持体Ｍは、モーターやエンジンなどの振動発生体や水門などの構造体であり、振動発生体の振動や構造体が受ける荷重により、支持部材Ｓにせん断力を作用させる。そのため、支持部材ＳのボルトＢは、せん断力を受けて、破損する恐れがある。
【００２７】
この場合、支持部材Ｓには、台座Ｐに溶接固定されたシアプレート１が当接される。シアプレート１は、その当接面１ａを支持部材Ｓの側面（図１（ａ）右側の面）に当接させた状態で、当接面１ａの反対側の面となる背面１ｂと当接面１ａ及び背面１ｂを連結する側面１ｃとが台座Ｐに溶接固定される。これにより、被支持体Ｍから受けるせん断力をシアプレート１が負担することで、支持部材ＳのボルトＢに作用するせん断力を低減して、かかるボルトＢの破断を抑制できる。
【００２８】
次いで、図２を参照して、シアプレート１の詳細構成について説明する。図２（ａ）は、シアプレート１の上面図であり、図２（ｂ）は、図２（ａ）のＩＩｂ−ＩＩｂ線におけるシアプレート１の断面図であり、図２（ｃ）は、図２（ａ）のＩＩｃ方向視におけるシアプレート１の側面図である。
【００２９】
図２に示すように、シアプレート１は、支持部材Ｓ（図１参照）に当接される当接面１ａと、その当接面１ａの反対側の背面１ｂと、それら当接面１ａ及び背面１ｂを連結する一対の側面１ｃと、台座Ｐ（図１参照）の上面に載置される底面１ｄと、その底面１ｄの反対側の上面１ｅとの６面を有する直方体形状に鉄鋼材料から形成される。なお、本実施形態では、シアプレート１は、縦横比が１：１に設定される。即ち、側面１ｃが正方形に形成される。
【００３０】
シアプレート１には、一端が底面１ｄに開口されると共に他端が上面１ｅに開口される連通路２が複数箇所（本実施形態では５箇所）に形成される。連通路２は、溶接固定の際に溶接トーチが挿通される部位（空間）であり、底面１ｄ及び上面１ｅの間をそれら底面１ｄ及び上面１ｅに垂直な方向に沿って直線状に延設される断面円形の貫通孔として形成される。
【００３１】
このように、連通路２は、断面円形の貫通孔として形成されるので、かかる連通路２の加工をドリルを使用して容易に行うことができると共に、肉抜き量を抑制して、シアプレート１の剛性を確保できる。また、連通路２の一端を溶接固定する際には（図３（ｂ）参照）、穴埋め溶接として溶接作業を行うことができ、その作業性を向上できる。更に、この連通路２を台座Ｐに溶接する際には、シアプレート１の上面１ｅ側から溶接トーチを連通路２へ挿入できるので、他の部材（支持部材Ｓや台座Ｐ）に邪魔され難く、溶接作業に要する作業スペースを確保しやすい。よって、溶接作業の作業性の向上を図ることができる。
【００３２】
複数の連通路２は、互いの間に間隔Ｗ１を隔てつつ、シアプレート１の長手方向（図２（ａ）上下方向）に沿って等間隔に列設される。この場合、本実施形態では、複数の連通路２のうちの最外方に位置する連通路２と側面１ｃとの間の間隔Ｗ２が、複数の連通路２のうちの隣接するものどうしの間の間隔Ｗ１よりも大きな間隔に設定される（Ｗ１＜Ｗ２）。
【００３３】
なお、本実施形態では、間隔Ｗ１は、連通路２の直径よりも大きな寸法に設定される。また、連通路２は、当接面１ａ及び背面１ｂの間の中間位置よりも当接面１ａに近い位置に配設される。即ち、連通路２の軸心と当接面１ａとの間の距離Ｌ１が、連通路２の軸心と背面１ｂとの間の距離Ｌ２よりも小さな距離に設定される（Ｌ１＜Ｌ２）。
【００３４】
次いで、図３を参照して、シアプレート１の取付方法を説明する。図３（ａ）から図３（ｄ）は、シアプレート１の上面図であり、シアプレート１を台座Ｐに溶接固定する際の各工程が順に図示される。なお、図３（ａ）から図３（ｄ）では、理解を容易とするために、溶接個所（溶接金属）にドット状のハッチングを付して図示する。
【００３５】
シアプレート１の台座Ｐへの取付は、シアプレート１を台座Ｐに設置する設置工程、背面１ｂ及び側面１ｃを台座Ｐに仮付け溶接する仮付け溶接工程（図３（ａ））、連通路２の内周面を台座Ｐに溶接固定する連通路溶接工程（図３（ｂ））、側面１ｃを台座Ｐに溶接固定（本溶接）する側面溶接工程（図３（ｃ））、及び、背面１ｂを台座Ｐに溶接固定（本溶接）する背面溶接工程（図３（ｄ））の各工程を順に実施することで行われる。以下、各工程の詳細について説明する。
【００３６】
設置工程では、当接面１ａを支持部材Ｓの側面に当接させると共に底面１ｄを台座Ｐの上面に当接させた状態で、シアプレート１を台座Ｐに設置する。シアプレート１を設置した後は、仮付け溶接工程へ移行する。
【００３７】
図３（ａ）に示すように、仮付け溶接工程では、背面１ｂ及び側面１ｃを台座Ｐに断続的に仮付け溶接する。これにより、次工程である連通路溶接工程において、シアプレート１が位置ずれすることを抑制できる。仮付け溶接を行った後は、連通路溶接工程へ移行する。
【００３８】
なお、仮付け溶接工程において、仮付け溶接の対象は、背面１ｂ又は側面１ｃのいずれか一方のみであっても良い。また、仮付け溶接の数は、１の面に対して、１箇所のみでも良く、複数箇所であっても良い。
【００３９】
図３（ｂ）に示すように、連通路溶接工程では、連通路２へ溶接トーチを挿入し、穴埋め溶接を行うことで、連通路２の一端（底面１ｄ側）の内周面を台座Ｐに溶接固定する。この場合、連通路２は、底面１ｄと上面１ｅとを貫通する貫通孔として形成されるので、溶接金属を連通路２内に留めておくことができる。よって、溶接金属が、台座Ｐの上面（支持部材Ｓの載置面）や当接面１ａにはみ出すことを抑制できる。従って、はみ出した溶接金属を除去する作業が必要となることを未然に回避できる。連通路２の穴埋め溶接を行った後は、側面溶接工程へ移行する。
【００４０】
図３（ｃ）に示すように、側面溶接工程では、一対の側面１ｃをそれぞれ台座Ｐに溶接固定（本溶接）する。側面１ｃの本溶接を行った後は、背面溶接工程に移行する。
【００４１】
なお、側面溶接工程で溶接固定される一対の側面１ｃは、対称に配置されるので、台座Ｐとの間の溶接部分の凝固時の引けや溶接ひずみを、一方の側面１ｃと他方の側面１ｃとで相殺させることができる。よって、シアプレート１の傾斜や反りを抑制できる。また、先に、連通路溶接工程により連通路２の一端の内周面が台座Ｐに溶接固定されているので、かかる溶接部分（連通路２と台座Ｐとの結合）を利用して、側面溶接工程における凝固時の引けや溶接ひずみによるシアプレート１の傾斜や反りを抑制できる。
【００４２】
図３（ｄ）に示すように、背面溶接工程では、背面１ｂを台座Ｐに溶接固定（本溶接）する。これにより、シアプレート１の台座Ｐへの取付が完了する。
【００４３】
以上のように、本実施形態のシアプレート１の取付方法によれば、連通路溶接工程により連通路２の一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路２の一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート１の傾斜や溶接ひずみによるシアプレート１の反りを抑制できる。その結果、支持部材Ｓとシアプレート１との間に隙間が形成されることを抑制できる。
【００４４】
特に、本実施形態では、上述したように、連通路２が、当接面１ａ及び背面１ｂの間の中間位置よりも当接面１ａに近い位置に配設されるので（Ｌ１＜Ｌ２、図２（ａ）参照）、連通路２と背面１ｂとの離間距離を確保することができる。よって、その分、背面溶接工程における溶接部分（背面１ｂと台座Ｐとの間の溶接部分）の凝固時の引けによるシアプレート１の傾斜や溶接ひずみによるシアプレート１の反りに対する抗力を高めることができる。その結果、支持部材Ｓとシアプレート１との間に隙間が形成されることを抑制できる。
【００４５】
ここで、背面溶接工程における溶接部分（背面１ｂと台座Ｐとの間の溶接部分）の凝固時の引けによるシアプレート１の傾斜や溶接ひずみによるシアプレート１の反りに対する抗力としては、１の連結路２と台座Ｐとの結合よりも１の側面２ｃと台座Ｐとの結合の方が大きな抗力が得られる。
【００４６】
この場合、本実施形態によれば、上述したように、最外方に位置する連通路２と側面１ｃとの間の間隔Ｗ２が、隣接する連通路２どうしの間の間隔Ｗ１よりも大きな間隔に設定される（Ｗ１＜Ｗ２、図２（ａ）参照）ので、これらの抗力が重複して無駄になることを抑制でき、その分、連通路２の形成個数を少なくできる。
【００４７】
次いで、図４及び図５を参照して、第２実施形態について説明する。まず、図４を参照して、第２実施形態におけるシアプレート２０１の詳細構成について説明する。なお、上述した第１実施形態と同一の部分には同一の符号を付して、その説明は省略する。
【００４８】
図４（ａ）は、第２実施形態におけるシアプレート２０１の上面図であり、図４（ｂ）は、図４（ａ）のＩＶｂ−ＩＶｂ線におけるシアプレート２０１の断面図であり、図４（ｃ）は、図４（ａ）のＩＶｃ−ＩＶｃ線におけるシアプレート２０１の断面図である。
【００４９】
図４に示すように、シアプレート２０１には、一端（図４（ａ）左側の端部）が底面１ｄに開口されると共に他端（図４（ａ）右側の端部）が背面１ｂに開口される連通路２０２が複数箇所（本実施形態では５箇所）に形成される。連通路２０２は、底面１ｄに凹設され、シアプレート２０１の短手方向（図４（ａ）左右方向）に沿って延設される凹溝として形成される。よって、連通路２０２は、一端から他端までの全体が底面１ｄに開口される。
【００５０】
ここで、支持部材Ｓからシアプレート２０１が受けるせん断力は、シアプレート２０１の短手方向に沿って作用されるところ、連通路２０２は、シアプレート２０１の短手方向に沿って延設されるので、連通路２０２が凹設された場合でも、せん断力に対するシアプレート２０１の剛性を確保しやすくできる。
【００５１】
また、シアプレート２０１によれば、シアプレート２０１の背面１ｂ側から溶接トーチを連通路２０２へ挿入できるので、支持部材Ｓに邪魔されずに、溶接作業を行うことができる。よって、溶接作業の作業性の向上を図ることができる。
【００５２】
複数の連通路２０２は、互いの間に間隔Ｗ３を隔てつつ、シアプレート１の長手方向（図４（ａ）上下方向）に沿って等間隔に列設される。この場合、本実施形態では、複数の連通路２０２のうちの最外方に位置する連通路２０２と側面１ｃとの間の間隔Ｗ４が、複数の連通路２０２のうちの隣接するものどうしの間の間隔Ｗ３よりも大きな間隔に設定される（Ｗ３＜Ｗ４）。
【００５３】
なお、本実施形態では、間隔Ｗ３は、連通路２０２の幅寸法（図４（ａ）上下方向寸法）よりも大きな寸法に設定される。また、連通路２０２は、その一端（当接面１ａ側（図４（ａ）左側）の端部）が、当接面１ａ及び背面１ｂの間の中間位置よりも当接面１ａに近い位置に配設される。即ち、連通路２０２と当接面１ａとの間の距離Ｌ３が、連通路２０２と背面１ｂとの間の距離Ｌ４よりも小さな距離に設定される（Ｌ３＜Ｌ４）。
【００５４】
次いで、図５を参照して、シアプレート２０１の取付方法を説明する。図５（ａ）、図５（ｃ）、図５（ｅ）及び図５（ｇ）は、シアプレート２０１の上面図であり、図５（ｂ）、図５（ｄ）、図５（ｆ）及び図５（ｈ）は、シアプレート２０１の断面図であり、シアプレート２０１を台座Ｐに溶接固定する際の各工程が順に図示される。
【００５５】
なお、図５（ａ）から図５（ｈ）では、理解を容易とするために、溶接個所（溶接金属）にドット状のハッチングを付して図示する。また、図５（ｂ）、図５（ｄ）、図５（ｆ）及び図５（ｈ）は、図５（ａ）のＶｂ−Ｖｂ線、図５（ｃ）のＶｄ−Ｖｄ線、図５（ｅ）のＶｆ−Ｖｆ線および図５（ｇ）のＶｈ−Ｖｈ線におけるシアプレート２０１の断面にそれぞれ対応する。
【００５６】
シアプレート２０１の台座Ｐへの取付は、第１実施形態の場合と同様に、まず、当接面１ａを支持部材Ｓの側面に当接させると共に底面１ｄを台座Ｐの上面に当接させた状態で、シアプレート２０１を台座Ｐに設置し（設置工程）、次いで、図５（ａ）及び図５（ｂ）に示すように、背面１ｂ及び側面１ｃを台座Ｐに断続的に仮付け溶接する（仮付け溶接工程）。その後、連通路溶接工程へ移行する。
【００５７】
図５（ｃ）及び図５（ｄ）に示すように、連通路溶接工程では、連通路２０２へ溶接トーチを挿入し、連通路２０２及び台座Ｐの間に形成される空間を埋める穴埋め溶接を行うことで、連通路２０２の少なくとも一端（当接面１ａ側）の内周面を台座Ｐに溶接固定する。
【００５８】
この場合、連通路２０２の他端は、背面１ｂに開口されるので、連通路２０２から溶接金属がはみ出したとしても、そのはみ出し方向を支持部材Ｓとは反対側とできる。即ち、支持部材Ｓの載置面となる台座Ｐの上面や当接面１ａには、はみ出さないので、はみ出した溶接金属を除去する作業を不要とできる。
【００５９】
なお、連通路溶接工程は、連通路２０２の少なくとも一端が溶接されていれば足りる。但し、本実施形態のように、連通路２０２の延設長さ（図５（ｃ）及び図５（ｄ）左右方向の長さ）の半分以上が溶接されていることが好ましい。後述するシアプレート２０１の傾斜や反りに対する抗力を大きくできるからである。よって、連通路２０２の延設長さの全体が溶接されていても良い。
【００６０】
連通路溶接工程を行った後は、図５（ｅ）及び図５（ｆ）に示すように。一対の側面１ｃをそれぞれ台座Ｐに溶接固定（本溶接）し（側面溶接工程）、次いで、図５（ｇ）及び図５（ｈ）に示すように、背面１ｂを台座Ｐに溶接固定（本溶接）する（背面溶接工程）。これにより、シアプレート２０１の台座Ｐへの取付が完了する。
【００６１】
以上のように、本実施形態のシアプレート２０１の取付方法によれば、連通路溶接工程により連通路２０２の少なくとも一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路２０２の少なくとも一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート２０１の傾斜や溶接ひずみによるシアプレート２０１の反りを抑制できる。その結果、支持部材Ｓとシアプレート２０１との間に隙間が形成されることを抑制できる。
【００６２】
特に、本実施形態では、連通路２０２が、底面１ｄに凹設される凹溝として形成されるので、連通路２０２と台座Ｐとの溶接面積を確保できる。よって、その分、背面１ｂと台座Ｐとの間の溶接部分における凝固時の引けや溶接ひずみによる反りに対する抗力を高めることができる。その結果、支持部材Ｓとシアプレート２０２との間に隙間が形成されることを抑制できる。
【００６３】
また、最外方に位置する連通路２０２と側面１ｃとの間の間隔Ｗ４が、隣接する連通路２０２どうしの間の間隔Ｗ３よりも大きな間隔に設定される（Ｗ３＜Ｗ４、図４（ａ）参照）ので、これらの抗力が重複して無駄になることを抑制でき、その分、連通路２０２の形成個数を少なくできる。
【００６４】
更に、連通路２０２の一端が、当接面１ａ及び背面１ｂの間の中間位置よりも当接面１ａに近い位置に配設されるので（Ｌ３＜Ｌ４、図４（ａ）参照）、連通路２０２の一端と背面１ｂとの間の離間距離を確保することができる。よって、その分、背面溶接工程における溶接部分（背面１ｂと台座Ｐとの間の溶接部分）の凝固時の引けによるシアプレート２０１の傾斜や溶接ひずみによるシアプレート２０１の反りに対する抗力を高めることができる。その結果、支持部材Ｓとシアプレート２０１との間に隙間が形成されることを抑制できる。
【００６５】
次いで、図６を参照して、第３実施形態について説明する。なお、上述した第１実施形態と同一の部分には同一の符号を付して、その説明は省略する。
【００６６】
図６（ａ）は、第３実施形態におけるシアプレート３０１の上面図であり、図６（ｂ）は、図６（ａ）のＶＩｂ−ＶＩｂ線におけるシアプレート３０１の断面図であり、図６（ｃ）は、図６（ａ）のＶＩｃ−ＶＩｃ線におけるシアプレート３０１の断面図である。
【００６７】
図６に示すように、シアプレート３０１には、一端（シアプレート３０１の長手方向中央側）が底面１ｄに開口されると共に他端が側面１ｃに開口される連通路３０２が複数箇所（本実施形態では２箇所）に形成される。連通路３０２は、底面１ｄに凹設され、シアプレート３０１の長手方向（図６（ａ）上下方向）に沿って延設される凹溝として形成される。よって、連通路３０２は、一端から他端までの全体が底面１ｄに開口される。
【００６８】
シアプレート３０１によれば、側面１ｃ側から溶接トーチを連通路３０２へ挿入することができる。よって、支持部材Ｓに邪魔されることなく、溶接作業を行うことができるので、溶接作業の作業性の向上を図ることができる。また、連通路３０２から溶接金属がはみ出したとしても、そのはみ出し方向を支持部材Ｓとは異なる方向とできる。即ち、支持部材Ｓの載置面となる台座Ｐの上面や当接面１ａには、はみ出さないので、はみ出した溶接金属を除去する作業を不要とできる。
【００６９】
なお、連通路溶接工程（図５（ｂ）参照）における溶接範囲は、連通路３０２の少なくとも一端が溶接されていれば足りる。但し、上述した第２実施形態の場合と同様に、連通路３０２の延設長さ（図６（ａ）上下方向の長さ）の半分以上が溶接されていることが好ましい。後述するシアプレート３０１の傾斜や反りに対する抗力を大きくできるからである。よって、連通路３０２の延設長さの全体が溶接されていても良い。
【００７０】
また、本実施形態では、連通路３０２は、当接面１ａ及び背面１ｂの間の中間位置よりも当接面１ａに近い位置に配設される。即ち、連通路３０２と当接面１ａとの間の距離Ｌ５が、連通路３０２と背面１ｂとの間の距離Ｌ６よりも小さな距離に設定される（Ｌ５＜Ｌ６）。
【００７１】
シアプレート３０１の台座Ｐへの取付は、シアプレート３０１を台座Ｐに設置する設置工程、背面１ｂ及び側面１ｃを台座Ｐに仮付け溶接する仮付け溶接工程（図５（ａ）参照）、連通路３０２の内周面を台座Ｐに溶接固定する連通路溶接工程（図５（ｃ）参照）、側面１ｃを台座Ｐに溶接固定（本溶接）する側面溶接工程（図５（ｅ）参照）、及び、背面１ｂを台座Ｐに溶接固定（本溶接）する背面溶接工程（図５（ｇ））の各工程を順に実施することで行われる。なお、各工程は、上述した各実施形態の場合と実質同一であるので、その詳細な説明は省略する。
【００７２】
本実施形態のシアプレート３０１の取付方法によれば、連通路溶接工程により連通路３０２の少なくとも一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路３０２の少なくとも一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート３０１の傾斜や溶接ひずみによるシアプレート３０１の反りを抑制できる。その結果、支持部材Ｓとシアプレート３０１との間に隙間が形成されることを抑制できる。
【００７３】
特に、本実施形態では、連通路３０２が、底面１ｄに凹設される凹溝として形成されるので、連通路３０２と台座Ｐとの溶接面積を確保できる。また、連通路３０２が、当接面１ａ及び背面１ｂの間の中間位置よりも当接面１ａに近い位置に配設されるので（Ｌ５＜Ｌ６）、連通路３０２と背面１ｂとの間の離間距離を確保することができる。よって、背面溶接工程（図５（ｄ）参照）における溶接部分（背面１ｂと台座Ｐとの間の溶接部分）の凝固時の引けによるシアプレート３０１の傾斜や溶接ひずみによるシアプレート３０１の反りに対する抗力を高めることができる。その結果、支持部材Ｓとシアプレート３０１との間に隙間が形成されることを抑制できる。
【００７４】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００７５】
上記各実施形態で挙げた数値は一例であり、他の数値を採用することは当然可能である。例えば、連通路２，２０２，３０２の個数は、上記各実施形態で例示した個数よりも少ない個数であっても良く、多い個数であっても良い。
【００７６】
上記各実施形態のうちの一の実施形態における一部または全部を、他の実施形態における一部または全部と組み合わせても良い。例えば、第１実施形態または（及び）第２実施形態における連通路２，２０２の一部または全部を、第３実施形態のシアプレート３０１に追加しても良い。或いは、第１実施形態における連通路２の一部を、第２実施形態における連通路２０２に置き換えても良い。
【００７７】
上記各実施形態では、複数の連通路２，２０２，３０２が互いに同一の形状（寸法）に形成される場合を説明したが、必ずしもこれに限られるものではなく、一部が異なる形状（寸法）に形成されていても良い。
【００７８】
上記各実施形態では、側面溶接工程を行う場合を説明したが、必ずしもこれに限られるものではなく、かかる側面溶接工程を省略しても良い。この場合でも、連通路２，２０２，３０２と台座Ｐとの結合により、シアプレート１，２０１，３０１の傾斜や反りを抑制できる。
【００７９】
上記各実施形態では、シアプレート１，２０１，３０１の縦横比（底面１ｄ及び上面１ｅの間の距離と当接面１ａ及び背面１ｂの間の距離との比）が１：１に設定される場合を説明したが、必ずしもこれに限られるものではなく、他の比率とすることは当然可能である。他の比率としては、縦横比を１：Ｎ（１＜Ｎ）とするものが例示される。
【００８０】
この場合、縦横比は、１：１から１：２までの範囲に設定することが好ましく、更に好ましくは、１：１から１：１．５の範囲に設定することが好ましい。
【００８１】
従来品では、背面と台座Ｐとの間の溶接部分の凝固時の引けに対してシアプレートの重さを抗力として、または、側面と台座Ｐとの溶接長さを長くして、支持部材Ｓとシアプレートとの間に隙間が形成されることを抑制する構造であるため、縦横比（当接面１ａ及び背面１ｂの間の距離）が大きくなりやすい。そのため、シアプレートが大型化し、材料費が嵩むという問題点があった。これに対し、本発明によれば、連通路２，２０２，３０２と台座Ｐとの溶接固定（結合）を、背面１ｂと台座Ｐとの間の溶接部分の凝固時の引けに対する抗力とできるので、シアプレート１，２０１，３０１の重さを抗力とする必要がなく、縦横比をより小さくすることができる。よって、シアプレート１，２０１，３０１の小型化を図り、材料費を低減できる。
【００８２】
上記第１実施形態では、連通路２を断面円形に形成したが、必ずしもこれに限られるものではなく、断面楕円形や断面長円形であっても良い。また、連通路２は、その周縁が底面１ｄ及び上面１ｅの外縁に交差しない位置に配置されたが、周縁の一部が底面１ｄ及び上面１ｅの外縁に交差する位置に配置されても良い。
【００８３】
上記第１実施形態および第２実施形態では、複数の連通路２，２０２が等間隔（間隔Ｗ１，Ｗ３）で列設される場合を説明したが、必ずしもこれに限られるものではなく、不等間隔であっても良い。また、第３実施形態では、一方の側面１ｃ側の連通路３０２と他方の側面１ｃ側の連通路３０２とが同じ位置に形成される場合を説明したが、互いに異なる位置に形成されても良い。
【符号の説明】
【００８４】
１，２０１，３０１    シアプレート
１ａ                  当接面
１ｂ                  背面
１ｃ                  側面
１ｄ                  底面
１ｅ                  上面
２，２０２，３０２    連通路
Ｐ                    台座
Ｓ                    支持部材
Ｂ                    ボルト
【図１】
2017125524.tif 000003
【図２】
2017125524.tif 000004
【図３】
2017125524.tif 000005
【図４】
2017125524.tif 000006
【図５】
2017125524.tif 000007
【図６】
2017125524.tif 000008
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
直方体形状に形成されるシアプレートを備え、そのシアプレートの長手方向に沿う当接面が、台座に締結固定される支持部材の側面に当接されると共に、前記当接面の反対面となる背面が前記台座に溶接固定されたシアプレートの取付構造において、
前記シアプレートは、その底面に一端が開口されると共に他端が前記底面を除く外面に開口される連通路を備え、
前記連通路は、前記底面とその底面の反対面となる上面との間を貫通する貫通孔として形成されると共に、前記当接面および背面の間の中間位置よりも前記当接面に近い位置に配設され、その連通路の少なくとも一端が前記台座に溶接固定されていることを特徴とするシアプレートの取付構造。
【請求項２】
直方体形状に形成されるシアプレートを備え、そのシアプレートの長手方向に沿う当接面が、台座に締結固定される支持部材の側面に当接されると共に、前記当接面の反対面となる背面が前記台座に溶接固定されたシアプレートの取付構造において、
前記シアプレートは、その底面に一端が開口されると共に他端が前記底面を除く外面に開口される連通路を備え、前記当接面および背面を連結する一対の側面が前記台座に溶接固定され、
前記連通路は、前記底面とその底面の反対面となる上面との間を貫通する貫通孔として形成されると共に、前記当接面および背面に沿って複数が列設され、それら連通路の少なくとも一端が前記台座に溶接固定され、
複数の前記連通路のうちの最外方に位置する前記連通路と前記側面との間の間隔が、複数の前記連通路のうちの隣接するものどうしの間の間隔よりも大きな間隔に設定されることを特徴とするシアプレートの取付構造。
【請求項３】
直方体形状に形成されるシアプレートを備え、そのシアプレートの長手方向に沿う当接面が、台座に締結固定される支持部材の側面に当接されると共に、前記当接面の反対面となる背面が前記台座に溶接固定されたシアプレートの取付構造において、
前記シアプレートは、その底面に一端が開口されると共に他端が前記背面に開口される連通路を備え、
前記連通路は、前記底面に凹設され前記シアプレートの短手方向に沿って延設される凹溝として形成され、その連通路の少なくとも一端が前記台座に溶接固定されていることを特徴とするシアプレートの取付構造。
【請求項４】
直方体形状に形成されるシアプレートを備え、そのシアプレートの長手方向に沿う当接面が、台座に締結固定される支持部材の側面に当接されると共に、前記当接面の反対面となる背面が前記台座に溶接固定されたシアプレートの取付構造において、
前記シアプレートは、その底面に一端が開口されると共に他端が前記当接面および背面を連結する側面に開口される連通路を備え、
前記連通路は、前記底面に凹設され前記シアプレートの長手方向に沿って延設される凹溝として形成され、その連通路の少なくとも一端が前記台座に溶接固定されていることを特徴とするシアプレートの取付構造。
【請求項５】
直方体形状に形成されるシアプレートの長手方向に沿う当接面が、台座に締結固定される支持部材の側面に当接されると共に、前記当接面の反対面となる背面を前記台座に溶接固定されたシアプレートの取付方法において、
一端が底面に開口されると共に他端が前記底面を除く外面に開口される連通路を備える前記シアプレートを、前記当接面を前記支持部材の側面に当接させると共に前記底面を前記台座に当接させた状態に設置する設置工程と、
その設置工程により前記台座に設置した前記シアプレートの前記連通路の少なくとも一端を前記台座に溶接固定する連通路溶接工程と、
その連通路溶接工程により前記連通路の少なくとも一端が前記台座に溶接された前記シアプレートの前記背面を前記台座に溶接固定する背面溶接工程と、を備え、
前記連通路は、少なくとも前記一端が前記当接面および背面の間の中間位置よりも前記当接面に近い位置に配設されることを特徴とするシアプレートの取付方法。
【手続補正２】
【補正対象書類名】明細書
【補正対象項目名】全文
【補正方法】変更
【補正の内容】
【発明の詳細な説明】
【技術分野】
【０００１】
本発明は、シアプレートの取付構造およびシアプレートの取付方法に関し、特に、支持部材とシアプレートとの間に隙間が形成されることを抑制できるシアプレートの取付構造およびシアプレートの取付方法に関するものである。
【背景技術】
【０００２】
例えば、モーターやエンジンなどの振動発生体や水門などの構造体を支持するための部材（支持部材）を、ボルトにより台座に締結固定する構造が知られている。このような構造では、支持部材にせん断力が作用され、ボルトの破断を招く恐れがある。そこで、支持部材に正面（当接面）を当接させたシアプレートの背面を台座に溶接固定し、かかるシアプレートにせん断力を負担させることが行われる（特許文献１）。
【先行技術文献】
【特許文献】
【０００３】
【特許文献１】実開平０６−００９３５４号公報（例えば、図５など）
【発明の概要】
【発明が解決しようとする課題】
【０００４】
しかしながら、上述した従来の技術では、シアプレートの背面を溶接すると、溶接部分の凝固時の引けによりシアプレートが傾斜したり、溶接ひずみによりシアプレートに反りが発生して、支持部材との間に隙間が形成されるという問題点があった。シアプレートの強度は、溶接部分のせん断力によるところ、支持部材とシアプレートとの間に隙間が形成されていると、せん断力を受けることができないため、十分な強度を発揮することができない。
【０００５】
本発明は、上述した問題点を解決するためになされたものであり、支持部材とシアプレートとの間に隙間が形成されることを抑制できるシアプレートの取付構造およびシアプレートの取付方法を提供することを目的としている。
【課題を解決するための手段】
【０００６】
この目的を達成するために、請求項１記載のシアプレートの取付構造は、直方体形状に形成されるシアプレートを備え、そのシアプレートの長手方向に沿う当接面が、台座に締結固定される支持部材の側面に当接されると共に、前記当接面の反対面となる背面が前記台座に溶接固定されたものであり、前記シアプレートは、その底面に一端が開口されると共に他端が前記底面を除く外面に開口される連通路を備え、前記連通路は、前記底面とその底面の反対面となる上面との間を貫通する貫通孔として形成されると共に、前記当接面および背面の間の中間位置よりも前記当接面に近い位置に配設され、その連通路の少なくとも一端が前記台座に溶接固定されている。
【０００７】
【０００８】
【０００９】
請求項２記載のシアプレートの取付構造は、直方体形状に形成されるシアプレートを備え、そのシアプレートの長手方向に沿う当接面が、台座に締結固定される支持部材の側面に当接されると共に、前記当接面の反対面となる背面が前記台座に溶接固定されたものであり、前記シアプレートは、その底面に一端が開口されると共に他端が前記底面を除く外面に開口される連通路を備え、前記当接面および背面を連結する一対の側面が前記台座に溶接固定され、前記連通路は、前記底面とその底面の反対面となる上面との間を貫通する貫通孔として形成されると共に、前記当接面および背面に沿って複数が列設され、それら連通路の少なくとも一端が前記台座に溶接固定され、複数の前記連通路のうちの最外方に位置する前記連通路と前記側面との間の間隔が、複数の前記連通路のうちの隣接するものどうしの間の間隔よりも大きな間隔に設定される。
【００１０】
請求項３記載のシアプレートの取付構造は、直方体形状に形成されるシアプレートを備え、そのシアプレートの長手方向に沿う当接面が、台座に締結固定される支持部材の側面に当接されると共に、前記当接面の反対面となる背面が前記台座に溶接固定されたものであり、前記シアプレートは、その底面に一端が開口されると共に他端が前記背面に開口される連通路を備え、前記連通路は、前記底面に凹設され前記シアプレートの短手方向に沿って延設される凹溝として形成され、その連通路の少なくとも一端が前記台座に溶接固定されていることを特徴とするシアプレートの取付構造。
【００１１】
請求項４記載のシアプレートの取付構造は、直方体形状に形成されるシアプレートを備え、そのシアプレートの長手方向に沿う当接面が、台座に締結固定される支持部材の側面に当接されると共に、前記当接面の反対面となる背面が前記台座に溶接固定されたものであり、前記シアプレートは、その底面に一端が開口されると共に他端が前記当接面および背面を連結する側面に開口される連通路を備え、前記連通路は、前記底面に凹設され前記シアプレートの長手方向に沿って延設される凹溝として形成され、その連通路の少なくとも一端が前記台座に溶接固定されている。
【００１２】
請求項５記載のシアプレートの取付方法は、直方体形状に形成されるシアプレートの長手方向に沿う当接面が、台座に締結固定される支持部材の側面に当接されると共に、前記当接面の反対面となる背面を前記台座に溶接固定されたシアプレートを取り付ける方法であって、一端が底面に開口されると共に他端が前記底面を除く外面に開口される連通路を備える前記シアプレートを、前記底面を前記台座に当接させた状態に設置する設置工程と、その設置工程により前記台座に設置した前記シアプレートの前記連通路の少なくとも一端を前記台座に溶接固定する連通路溶接工程と、その連通路溶接工程により前記連通路の少なくとも一端が前記台座に溶接された前記シアプレートの前記背面を前記台座に溶接固定する背面溶接工程と、を備え、前記連通路は、少なくとも前記一端が前記当接面および背面の間の中間位置よりも前記当接面に近い位置に配設される。
【発明の効果】
【００１３】
請求項１から４に記載のシアプレートの取付構造によれば、シアプレートは、その底面に一端が開口されると共に他端が底面を除く外面に開口される連通路を備え、その連通路の少なくとも一端が台座に溶接固定されている。よって、かかる連通路の一端を台座に溶接固定した後に、シアプレートの背面を台座に溶接固定することで、溶接部分の凝固時の引けによりシアプレートが傾斜することや溶接ひずみによりシアプレートに反りが発生することを抑制できる。その結果、支持部材とシアプレートとの間に隙間が形成されることを抑制できる。
【００１４】
なお、シアプレートの底面を除く外面とは、直方体形状の６面のうちの底面を除く５面を意味する。よって、かかる外面には、当接面および背面が含まれる。また、連通路の他端は、前記５面のうちの少なくとも１の面に開口されていれば足りる趣旨である。
【００１５】
請求項１又は２に記載のシアプレートの取付構造によれば、連通路は、底面とその底面の反対面となる上面との間を貫通する貫通孔として形成されるので、台座に載置したシアプレートの上面から溶接トーチを連通路へ挿入して、溶接作業を行うことができる。よって、かかる溶接作業の作業性の向上を図ることができる。また、連通路が底面と上面とを貫通する貫通孔として形成されることで、溶接金属を連通路内に留めておくことができる。よって、溶接金属が、台座の上面（支持部材の載置面）やシアプレートの当接面（支持部材の側面に当接される面）にはみ出すことを抑制できる。従って、はみ出した溶接金属を除去する作業が必要となることを未然に回避できる。
【００１６】
請求項１記載のシアプレートの取付構造によれば、連通路は、当接面および背面の間の中間位置よりも当接面に近い位置に配設されるので、連通路の一端を台座に溶接固定した後に、シアプレートの背面を台座に溶接固定する際には、背面と台座との間の溶接部分における凝固時の引けによるシアプレートの傾斜や溶接ひずみによるシアプレートの反りに対する抗力を高めることができる。その結果、支持部材とシアプレートとの間に隙間が形成されることを抑制できる。
【００１７】
請求項２記載のシアプレートの取付構造によれば、シアプレートは、当接面および背面を連結する一対の側面が台座に溶接固定され、連通路は、当接面および背面に沿って複数が列設され、複数の連通路のうちの最外方に位置する連通路と側面との間の間隔が、複数の連通路のうちの隣接するものどうしの間の間隔よりも大きな間隔に設定されるので、連通路の形成個数を少なくすることができる。
【００１８】
即ち、背面と台座との間の溶接部分における凝固時の引けや溶接ひずみによる反りに対する抗力は、連通路よりも側面の方が大きいため、最外方に位置する連通路と側面との間の間隔を広くしておくことで、これらの抗力が重複して無駄になることを抑制でき、その分、連通路の形成個数を少なくできる。
【００１９】
請求項３記載のシアプレートの取付構造によれば、連通路は、一端が底面に開口されると共に他端が背面に開口され、底面に凹設される凹溝として形成されるので、シアプレートの連通路と台座との溶接面積を確保できる。よって、その分、背面と台座との間の溶接部分における凝固時の引けや溶接ひずみによる反りに対する抗力を高めることができる。その結果、支持部材とシアプレートとの間に隙間が形成されることを抑制できる。
【００２０】
また、連通路の他端は、背面に開口されるので、連通路から溶接金属がはみ出したとしても、そのはみ出し方向を支持部材とは反対側とできる。即ち、支持部材の載置面となる台座の上面やシアプレートの当接面（支持部材の側面に当接する面）には、はみ出さないので、はみ出した溶接金属を除去する作業を不要とできる。
【００２１】
請求項４記載のシアプレートの取付構造によれば、シアプレートは、当接面および背面を連結する側面が台座に溶接固定され、連通路は、一端が底面に開口されると共に他端が側面に開口され、底面に凹設される凹溝として形成されるので、シアプレートの連通路と台座との溶接面積を確保できる。よって、その分、背面と台座との間の溶接部分における凝固時の引けや溶接ひずみによる反りに対する抗力を高めることができ、その結果、支持部材とシアプレートとの間に隙間が形成されることを抑制できる。
【００２２】
請求項５記載のシアプレートの取付方法によれば、一端が底面に開口されると共に他端が底面を除く外面に開口される連通路を備えるシアプレートを、底面を台座に当接させた状態に設置する設置工程と、その設置工程により台座に設置したシアプレートの連通路の少なくとも一端を台座に溶接固定する連通路溶接工程と、その連通路溶接工程により連通路の少なくとも一端が台座に溶接されたシアプレートの背面を台座に溶接固定する背面溶接工程とを備えるので、背面溶接工程における溶接部分（背面と台座との間の溶接部分）の凝固時の引けによりシアプレートが傾斜することや溶接ひずみによりシアプレートに反りが発生することを抑制できる。その結果、支持部材とシアプレートとの間に隙間が形成されることを抑制できる。
【００２３】
即ち、連通路溶接工程により連通路の少なくとも一端が台座に溶接固定された後に、背面溶接工程によりシアプレートの背面が台座に溶接固定されるので、先の連通路溶接工程における溶接部分（連通路の一端と台座との結合）を利用して、後の背面溶接工程における溶接部分（背面と台座との間の溶接部分）の凝固時の引けによるシアプレートの傾斜や溶接ひずみによるシアプレートの反りを抑制できる。その結果、支持部材とシアプレートとの間に隙間が形成されることを抑制できる。
【図面の簡単な説明】
【００２４】
【図１】（ａ）は、本発明の第１実施形態におけるシアプレートの取付構造の上面図であり、（ｂ）は、シアプレートの取付構造の側面図である。
【図２】（ａ）は、シアプレートの上面図であり、（ｂ）は、図２（ａ）のＩＩｂ−ＩＩｂ線におけるシアプレートの断面図であり、（ｃ）は、図２（ａ）のＩＩｃ方向視におけるシアプレートの側面図である。
【図３】（ａ）から（ｄ）は、シアプレートの上面図である。
【図４】（ａ）は、第２実施形態におけるシアプレートの上面図であり、（ｂ）は、図４（ａ）のＩＶｂ−ＩＶｂ線におけるシアプレートの断面図であり、（ｃ）は、図４（ａ）のＩＶｃ−ＩＶｃ線におけるシアプレートの断面図である。
【図５】（ａ）、（ｃ）、（ｅ）及び（ｇ）は、シアプレートの上面図であり、（ｂ）、（ｄ）、（ｆ）及び（ｈ）は、シアプレートの断面図である。
【図６】（ａ）は、第３実施形態におけるシアプレートの上面図であり、（ｂ）は、図６（ａ）のＶＩｂ−ＶＩｂ線におけるシアプレートの断面図であり、（ｃ）は、図６（ａ）のＶＩｃ−ＶＩｃ線におけるシアプレートの断面図である。
【発明を実施するための形態】
【００２５】
以下、本発明の好ましい実施形態について、添付図面を参照して説明する。図１（ａ）は、本発明の第１実施形態におけるシアプレート１の取付構造の上面図であり、図１（ｂ）は、シアプレート１の取付構造の側面図である。なお、図１では、被支持体Ｍが二点鎖線を用いて模式的に図示される。
【００２６】
図１に示すように、台座Ｐには、被支持体Ｍを支持する支持部材Ｓが複数のボルトＢにより締結固定される。被支持体Ｍは、モーターやエンジンなどの振動発生体や水門などの構造体であり、振動発生体の振動や構造体が受ける荷重により、支持部材Ｓにせん断力を作用させる。そのため、支持部材ＳのボルトＢは、せん断力を受けて、破損する恐れがある。
【００２７】
この場合、支持部材Ｓには、台座Ｐに溶接固定されたシアプレート１が当接される。シアプレート１は、その当接面１ａを支持部材Ｓの側面（図１（ａ）右側の面）に当接させた状態で、当接面１ａの反対側の面となる背面１ｂと当接面１ａ及び背面１ｂを連結する側面１ｃとが台座Ｐに溶接固定される。これにより、被支持体Ｍから受けるせん断力をシアプレート１が負担することで、支持部材ＳのボルトＢに作用するせん断力を低減して、かかるボルトＢの破断を抑制できる。
【００２８】
次いで、図２を参照して、シアプレート１の詳細構成について説明する。図２（ａ）は、シアプレート１の上面図であり、図２（ｂ）は、図２（ａ）のＩＩｂ−ＩＩｂ線におけるシアプレート１の断面図であり、図２（ｃ）は、図２（ａ）のＩＩｃ方向視におけるシアプレート１の側面図である。
【００２９】
図２に示すように、シアプレート１は、支持部材Ｓ（図１参照）に当接される当接面１ａと、その当接面１ａの反対側の背面１ｂと、それら当接面１ａ及び背面１ｂを連結する一対の側面１ｃと、台座Ｐ（図１参照）の上面に載置される底面１ｄと、その底面１ｄの反対側の上面１ｅとの６面を有する直方体形状に鉄鋼材料から形成される。なお、本実施形態では、シアプレート１は、縦横比が１：１に設定される。即ち、側面１ｃが正方形に形成される。
【００３０】
シアプレート１には、一端が底面１ｄに開口されると共に他端が上面１ｅに開口される連通路２が複数箇所（本実施形態では５箇所）に形成される。連通路２は、溶接固定の際に溶接トーチが挿通される部位（空間）であり、底面１ｄ及び上面１ｅの間をそれら底面１ｄ及び上面１ｅに垂直な方向に沿って直線状に延設される断面円形の貫通孔として形成される。
【００３１】
このように、連通路２は、断面円形の貫通孔として形成されるので、かかる連通路２の加工をドリルを使用して容易に行うことができると共に、肉抜き量を抑制して、シアプレート１の剛性を確保できる。また、連通路２の一端を溶接固定する際には（図３（ｂ）参照）、穴埋め溶接として溶接作業を行うことができ、その作業性を向上できる。更に、この連通路２を台座Ｐに溶接する際には、シアプレート１の上面１ｅ側から溶接トーチを連通路２へ挿入できるので、他の部材（支持部材Ｓや台座Ｐ）に邪魔され難く、溶接作業に要する作業スペースを確保しやすい。よって、溶接作業の作業性の向上を図ることができる。
【００３２】
複数の連通路２は、互いの間に間隔Ｗ１を隔てつつ、シアプレート１の長手方向（図２（ａ）上下方向）に沿って等間隔に列設される。この場合、本実施形態では、複数の連通路２のうちの最外方に位置する連通路２と側面１ｃとの間の間隔Ｗ２が、複数の連通路２のうちの隣接するものどうしの間の間隔Ｗ１よりも大きな間隔に設定される（Ｗ１＜Ｗ２）。
【００３３】
なお、本実施形態では、間隔Ｗ１は、連通路２の直径よりも大きな寸法に設定される。また、連通路２は、当接面１ａ及び背面１ｂの間の中間位置よりも当接面１ａに近い位置に配設される。即ち、連通路２の軸心と当接面１ａとの間の距離Ｌ１が、連通路２の軸心と背面１ｂとの間の距離Ｌ２よりも小さな距離に設定される（Ｌ１＜Ｌ２）。
【００３４】
次いで、図３を参照して、シアプレート１の取付方法を説明する。図３（ａ）から図３（ｄ）は、シアプレート１の上面図であり、シアプレート１を台座Ｐに溶接固定する際の各工程が順に図示される。なお、図３（ａ）から図３（ｄ）では、理解を容易とするために、溶接個所（溶接金属）にドット状のハッチングを付して図示する。
【００３５】
シアプレート１の台座Ｐへの取付は、シアプレート１を台座Ｐに設置する設置工程、背面１ｂ及び側面１ｃを台座Ｐに仮付け溶接する仮付け溶接工程（図３（ａ））、連通路２の内周面を台座Ｐに溶接固定する連通路溶接工程（図３（ｂ））、側面１ｃを台座Ｐに溶接固定（本溶接）する側面溶接工程（図３（ｃ））、及び、背面１ｂを台座Ｐに溶接固定（本溶接）する背面溶接工程（図３（ｄ））の各工程を順に実施することで行われる。以下、各工程の詳細について説明する。
【００３６】
設置工程では、当接面１ａを支持部材Ｓの側面に当接させると共に底面１ｄを台座Ｐの上面に当接させた状態で、シアプレート１を台座Ｐに設置する。シアプレート１を設置した後は、仮付け溶接工程へ移行する。
【００３７】
図３（ａ）に示すように、仮付け溶接工程では、背面１ｂ及び側面１ｃを台座Ｐに断続的に仮付け溶接する。これにより、次工程である連通路溶接工程において、シアプレート１が位置ずれすることを抑制できる。仮付け溶接を行った後は、連通路溶接工程へ移行する。
【００３８】
なお、仮付け溶接工程において、仮付け溶接の対象は、背面１ｂ又は側面１ｃのいずれか一方のみであっても良い。また、仮付け溶接の数は、１の面に対して、１箇所のみでも良く、複数箇所であっても良い。
【００３９】
図３（ｂ）に示すように、連通路溶接工程では、連通路２へ溶接トーチを挿入し、穴埋め溶接を行うことで、連通路２の一端（底面１ｄ側）の内周面を台座Ｐに溶接固定する。この場合、連通路２は、底面１ｄと上面１ｅとを貫通する貫通孔として形成されるので、溶接金属を連通路２内に留めておくことができる。よって、溶接金属が、台座Ｐの上面（支持部材Ｓの載置面）や当接面１ａにはみ出すことを抑制できる。従って、はみ出した溶接金属を除去する作業が必要となることを未然に回避できる。連通路２の穴埋め溶接を行った後は、側面溶接工程へ移行する。
【００４０】
図３（ｃ）に示すように、側面溶接工程では、一対の側面１ｃをそれぞれ台座Ｐに溶接固定（本溶接）する。側面１ｃの本溶接を行った後は、背面溶接工程に移行する。
【００４１】
なお、側面溶接工程で溶接固定される一対の側面１ｃは、対称に配置されるので、台座Ｐとの間の溶接部分の凝固時の引けや溶接ひずみを、一方の側面１ｃと他方の側面１ｃとで相殺させることができる。よって、シアプレート１の傾斜や反りを抑制できる。また、先に、連通路溶接工程により連通路２の一端の内周面が台座Ｐに溶接固定されているので、かかる溶接部分（連通路２と台座Ｐとの結合）を利用して、側面溶接工程における凝固時の引けや溶接ひずみによるシアプレート１の傾斜や反りを抑制できる。
【００４２】
図３（ｄ）に示すように、背面溶接工程では、背面１ｂを台座Ｐに溶接固定（本溶接）する。これにより、シアプレート１の台座Ｐへの取付が完了する。
【００４３】
以上のように、本実施形態のシアプレート１の取付方法によれば、連通路溶接工程により連通路２の一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路２の一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート１の傾斜や溶接ひずみによるシアプレート１の反りを抑制できる。その結果、支持部材Ｓとシアプレート１との間に隙間が形成されることを抑制できる。
【００４４】
特に、本実施形態では、上述したように、連通路２が、当接面１ａ及び背面１ｂの間の中間位置よりも当接面１ａに近い位置に配設されるので（Ｌ１＜Ｌ２、図２（ａ）参照）、連通路２と背面１ｂとの離間距離を確保することができる。よって、その分、背面溶接工程における溶接部分（背面１ｂと台座Ｐとの間の溶接部分）の凝固時の引けによるシアプレート１の傾斜や溶接ひずみによるシアプレート１の反りに対する抗力を高めることができる。その結果、支持部材Ｓとシアプレート１との間に隙間が形成されることを抑制できる。
【００４５】
ここで、背面溶接工程における溶接部分（背面１ｂと台座Ｐとの間の溶接部分）の凝固時の引けによるシアプレート１の傾斜や溶接ひずみによるシアプレート１の反りに対する抗力としては、１の連結路２と台座Ｐとの結合よりも１の側面２ｃと台座Ｐとの結合の方が大きな抗力が得られる。
【００４６】
この場合、本実施形態によれば、上述したように、最外方に位置する連通路２と側面１ｃとの間の間隔Ｗ２が、隣接する連通路２どうしの間の間隔Ｗ１よりも大きな間隔に設定される（Ｗ１＜Ｗ２、図２（ａ）参照）ので、これらの抗力が重複して無駄になることを抑制でき、その分、連通路２の形成個数を少なくできる。
【００４７】
次いで、図４及び図５を参照して、第２実施形態について説明する。まず、図４を参照して、第２実施形態におけるシアプレート２０１の詳細構成について説明する。なお、上述した第１実施形態と同一の部分には同一の符号を付して、その説明は省略する。
【００４８】
図４（ａ）は、第２実施形態におけるシアプレート２０１の上面図であり、図４（ｂ）は、図４（ａ）のＩＶｂ−ＩＶｂ線におけるシアプレート２０１の断面図であり、図４（ｃ）は、図４（ａ）のＩＶｃ−ＩＶｃ線におけるシアプレート２０１の断面図である。
【００４９】
図４に示すように、シアプレート２０１には、一端（図４（ａ）左側の端部）が底面１ｄに開口されると共に他端（図４（ａ）右側の端部）が背面１ｂに開口される連通路２０２が複数箇所（本実施形態では５箇所）に形成される。連通路２０２は、底面１ｄに凹設され、シアプレート２０１の短手方向（図４（ａ）左右方向）に沿って延設される凹溝として形成される。よって、連通路２０２は、一端から他端までの全体が底面１ｄに開口される。
【００５０】
ここで、支持部材Ｓからシアプレート２０１が受けるせん断力は、シアプレート２０１の短手方向に沿って作用されるところ、連通路２０２は、シアプレート２０１の短手方向に沿って延設されるので、連通路２０２が凹設された場合でも、せん断力に対するシアプレート２０１の剛性を確保しやすくできる。
【００５１】
また、シアプレート２０１によれば、シアプレート２０１の背面１ｂ側から溶接トーチを連通路２０２へ挿入できるので、支持部材Ｓに邪魔されずに、溶接作業を行うことができる。よって、溶接作業の作業性の向上を図ることができる。
【００５２】
複数の連通路２０２は、互いの間に間隔Ｗ３を隔てつつ、シアプレート１の長手方向（図４（ａ）上下方向）に沿って等間隔に列設される。この場合、本実施形態では、複数の連通路２０２のうちの最外方に位置する連通路２０２と側面１ｃとの間の間隔Ｗ４が、複数の連通路２０２のうちの隣接するものどうしの間の間隔Ｗ３よりも大きな間隔に設定される（Ｗ３＜Ｗ４）。
【００５３】
なお、本実施形態では、間隔Ｗ３は、連通路２０２の幅寸法（図４（ａ）上下方向寸法）よりも大きな寸法に設定される。また、連通路２０２は、その一端（当接面１ａ側（図４（ａ）左側）の端部）が、当接面１ａ及び背面１ｂの間の中間位置よりも当接面１ａに近い位置に配設される。即ち、連通路２０２と当接面１ａとの間の距離Ｌ３が、連通路２０２と背面１ｂとの間の距離Ｌ４よりも小さな距離に設定される（Ｌ３＜Ｌ４）。
【００５４】
次いで、図５を参照して、シアプレート２０１の取付方法を説明する。図５（ａ）、図５（ｃ）、図５（ｅ）及び図５（ｇ）は、シアプレート２０１の上面図であり、図５（ｂ）、図５（ｄ）、図５（ｆ）及び図５（ｈ）は、シアプレート２０１の断面図であり、シアプレート２０１を台座Ｐに溶接固定する際の各工程が順に図示される。
【００５５】
なお、図５（ａ）から図５（ｈ）では、理解を容易とするために、溶接個所（溶接金属）にドット状のハッチングを付して図示する。また、図５（ｂ）、図５（ｄ）、図５（ｆ）及び図５（ｈ）は、図５（ａ）のＶｂ−Ｖｂ線、図５（ｃ）のＶｄ−Ｖｄ線、図５（ｅ）のＶｆ−Ｖｆ線および図５（ｇ）のＶｈ−Ｖｈ線におけるシアプレート２０１の断面にそれぞれ対応する。
【００５６】
シアプレート２０１の台座Ｐへの取付は、第１実施形態の場合と同様に、まず、当接面１ａを支持部材Ｓの側面に当接させると共に底面１ｄを台座Ｐの上面に当接させた状態で、シアプレート２０１を台座Ｐに設置し（設置工程）、次いで、図５（ａ）及び図５（ｂ）に示すように、背面１ｂ及び側面１ｃを台座Ｐに断続的に仮付け溶接する（仮付け溶接工程）。その後、連通路溶接工程へ移行する。
【００５７】
図５（ｃ）及び図５（ｄ）に示すように、連通路溶接工程では、連通路２０２へ溶接トーチを挿入し、連通路２０２及び台座Ｐの間に形成される空間を埋める穴埋め溶接を行うことで、連通路２０２の少なくとも一端（当接面１ａ側）の内周面を台座Ｐに溶接固定する。
【００５８】
この場合、連通路２０２の他端は、背面１ｂに開口されるので、連通路２０２から溶接金属がはみ出したとしても、そのはみ出し方向を支持部材Ｓとは反対側とできる。即ち、支持部材Ｓの載置面となる台座Ｐの上面や当接面１ａには、はみ出さないので、はみ出した溶接金属を除去する作業を不要とできる。
【００５９】
なお、連通路溶接工程は、連通路２０２の少なくとも一端が溶接されていれば足りる。但し、本実施形態のように、連通路２０２の延設長さ（図５（ｃ）及び図５（ｄ）左右方向の長さ）の半分以上が溶接されていることが好ましい。後述するシアプレート２０１の傾斜や反りに対する抗力を大きくできるからである。よって、連通路２０２の延設長さの全体が溶接されていても良い。
【００６０】
連通路溶接工程を行った後は、図５（ｅ）及び図５（ｆ）に示すように。一対の側面１ｃをそれぞれ台座Ｐに溶接固定（本溶接）し（側面溶接工程）、次いで、図５（ｇ）及び図５（ｈ）に示すように、背面１ｂを台座Ｐに溶接固定（本溶接）する（背面溶接工程）。これにより、シアプレート２０１の台座Ｐへの取付が完了する。
【００６１】
以上のように、本実施形態のシアプレート２０１の取付方法によれば、連通路溶接工程により連通路２０２の少なくとも一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路２０２の少なくとも一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート２０１の傾斜や溶接ひずみによるシアプレート２０１の反りを抑制できる。その結果、支持部材Ｓとシアプレート２０１との間に隙間が形成されることを抑制できる。
【００６２】
特に、本実施形態では、連通路２０２が、底面１ｄに凹設される凹溝として形成されるので、連通路２０２と台座Ｐとの溶接面積を確保できる。よって、その分、背面１ｂと台座Ｐとの間の溶接部分における凝固時の引けや溶接ひずみによる反りに対する抗力を高めることができる。その結果、支持部材Ｓとシアプレート２０２との間に隙間が形成されることを抑制できる。
【００６３】
また、最外方に位置する連通路２０２と側面１ｃとの間の間隔Ｗ４が、隣接する連通路２０２どうしの間の間隔Ｗ３よりも大きな間隔に設定される（Ｗ３＜Ｗ４、図４（ａ）参照）ので、これらの抗力が重複して無駄になることを抑制でき、その分、連通路２０２の形成個数を少なくできる。
【００６４】
更に、連通路２０２の一端が、当接面１ａ及び背面１ｂの間の中間位置よりも当接面１ａに近い位置に配設されるので（Ｌ３＜Ｌ４、図４（ａ）参照）、連通路２０２の一端と背面１ｂとの間の離間距離を確保することができる。よって、その分、背面溶接工程における溶接部分（背面１ｂと台座Ｐとの間の溶接部分）の凝固時の引けによるシアプレート２０１の傾斜や溶接ひずみによるシアプレート２０１の反りに対する抗力を高めることができる。その結果、支持部材Ｓとシアプレート２０１との間に隙間が形成されることを抑制できる。
【００６５】
次いで、図６を参照して、第３実施形態について説明する。なお、上述した第１実施形態と同一の部分には同一の符号を付して、その説明は省略する。
【００６６】
図６（ａ）は、第３実施形態におけるシアプレート３０１の上面図であり、図６（ｂ）は、図６（ａ）のＶＩｂ−ＶＩｂ線におけるシアプレート３０１の断面図であり、図６（ｃ）は、図６（ａ）のＶＩｃ−ＶＩｃ線におけるシアプレート３０１の断面図である。
【００６７】
図６に示すように、シアプレート３０１には、一端（シアプレート３０１の長手方向中央側）が底面１ｄに開口されると共に他端が側面１ｃに開口される連通路３０２が複数箇所（本実施形態では２箇所）に形成される。連通路３０２は、底面１ｄに凹設され、シアプレート３０１の長手方向（図６（ａ）上下方向）に沿って延設される凹溝として形成される。よって、連通路３０２は、一端から他端までの全体が底面１ｄに開口される。
【００６８】
シアプレート３０１によれば、側面１ｃ側から溶接トーチを連通路３０２へ挿入することができる。よって、支持部材Ｓに邪魔されることなく、溶接作業を行うことができるので、溶接作業の作業性の向上を図ることができる。また、連通路３０２から溶接金属がはみ出したとしても、そのはみ出し方向を支持部材Ｓとは異なる方向とできる。即ち、支持部材Ｓの載置面となる台座Ｐの上面や当接面１ａには、はみ出さないので、はみ出した溶接金属を除去する作業を不要とできる。
【００６９】
なお、連通路溶接工程（図５（ｂ）参照）における溶接範囲は、連通路３０２の少なくとも一端が溶接されていれば足りる。但し、上述した第２実施形態の場合と同様に、連通路３０２の延設長さ（図６（ａ）上下方向の長さ）の半分以上が溶接されていることが好ましい。後述するシアプレート３０１の傾斜や反りに対する抗力を大きくできるからである。よって、連通路３０２の延設長さの全体が溶接されていても良い。
【００７０】
また、本実施形態では、連通路３０２は、当接面１ａ及び背面１ｂの間の中間位置よりも当接面１ａに近い位置に配設される。即ち、連通路３０２と当接面１ａとの間の距離Ｌ５が、連通路３０２と背面１ｂとの間の距離Ｌ６よりも小さな距離に設定される（Ｌ５＜Ｌ６）。
【００７１】
シアプレート３０１の台座Ｐへの取付は、シアプレート３０１を台座Ｐに設置する設置工程、背面１ｂ及び側面１ｃを台座Ｐに仮付け溶接する仮付け溶接工程（図５（ａ）参照）、連通路３０２の内周面を台座Ｐに溶接固定する連通路溶接工程（図５（ｃ）参照）、側面１ｃを台座Ｐに溶接固定（本溶接）する側面溶接工程（図５（ｅ）参照）、及び、背面１ｂを台座Ｐに溶接固定（本溶接）する背面溶接工程（図５（ｇ））の各工程を順に実施することで行われる。なお、各工程は、上述した各実施形態の場合と実質同一であるので、その詳細な説明は省略する。
【００７２】
本実施形態のシアプレート３０１の取付方法によれば、連通路溶接工程により連通路３０２の少なくとも一端の内周面が台座Ｐに溶接固定されると共に、側面溶接工程により側面１ｃが台座Ｐに溶接固定された後に、背面溶接工程により背面１ｂが台座Ｐに溶接固定されるので、先の連通路溶接工程および側面溶接工程における溶接部分（連通路３０２の少なくとも一端と台座Ｐとの結合および側面１ｃと台座Ｐとの結合）を利用して、後の背面溶接工程における溶接部分（背面１ｂと台座Ｐとの間の溶接部分）の凝固時の引けによるシアプレート３０１の傾斜や溶接ひずみによるシアプレート３０１の反りを抑制できる。その結果、支持部材Ｓとシアプレート３０１との間に隙間が形成されることを抑制できる。
【００７３】
特に、本実施形態では、連通路３０２が、底面１ｄに凹設される凹溝として形成されるので、連通路３０２と台座Ｐとの溶接面積を確保できる。また、連通路３０２が、当接面１ａ及び背面１ｂの間の中間位置よりも当接面１ａに近い位置に配設されるので（Ｌ５＜Ｌ６）、連通路３０２と背面１ｂとの間の離間距離を確保することができる。よって、背面溶接工程（図５（ｄ）参照）における溶接部分（背面１ｂと台座Ｐとの間の溶接部分）の凝固時の引けによるシアプレート３０１の傾斜や溶接ひずみによるシアプレート３０１の反りに対する抗力を高めることができる。その結果、支持部材Ｓとシアプレート３０１との間に隙間が形成されることを抑制できる。
【００７４】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００７５】
上記各実施形態で挙げた数値は一例であり、他の数値を採用することは当然可能である。例えば、連通路２，２０２，３０２の個数は、上記各実施形態で例示した個数よりも少ない個数であっても良く、多い個数であっても良い。
【００７６】
上記各実施形態のうちの一の実施形態における一部または全部を、他の実施形態における一部または全部と組み合わせても良い。例えば、第１実施形態または（及び）第２実施形態における連通路２，２０２の一部または全部を、第３実施形態のシアプレート３０１に追加しても良い。或いは、第１実施形態における連通路２の一部を、第２実施形態における連通路２０２に置き換えても良い。
【００７７】
上記各実施形態では、複数の連通路２，２０２，３０２が互いに同一の形状（寸法）に形成される場合を説明したが、必ずしもこれに限られるものではなく、一部が異なる形状（寸法）に形成されていても良い。
【００７８】
上記各実施形態では、側面溶接工程を行う場合を説明したが、必ずしもこれに限られるものではなく、かかる側面溶接工程を省略しても良い。この場合でも、連通路２，２０２，３０２と台座Ｐとの結合により、シアプレート１，２０１，３０１の傾斜や反りを抑制できる。
【００７９】
上記各実施形態では、シアプレート１，２０１，３０１の縦横比（底面１ｄ及び上面１ｅの間の距離と当接面１ａ及び背面１ｂの間の距離との比）が１：１に設定される場合を説明したが、必ずしもこれに限られるものではなく、他の比率とすることは当然可能である。他の比率としては、縦横比を１：Ｎ（１＜Ｎ）とするものが例示される。
【００８０】
この場合、縦横比は、１：１から１：２までの範囲に設定することが好ましく、更に好ましくは、１：１から１：１．５の範囲に設定することが好ましい。
【００８１】
従来品では、背面と台座Ｐとの間の溶接部分の凝固時の引けに対してシアプレートの重さを抗力として、または、側面と台座Ｐとの溶接長さを長くして、支持部材Ｓとシアプレートとの間に隙間が形成されることを抑制する構造であるため、縦横比（当接面１ａ及び背面１ｂの間の距離）が大きくなりやすい。そのため、シアプレートが大型化し、材料費が嵩むという問題点があった。これに対し、本発明によれば、連通路２，２０２，３０２と台座Ｐとの溶接固定（結合）を、背面１ｂと台座Ｐとの間の溶接部分の凝固時の引けに対する抗力とできるので、シアプレート１，２０１，３０１の重さを抗力とする必要がなく、縦横比をより小さくすることができる。よって、シアプレート１，２０１，３０１の小型化を図り、材料費を低減できる。
【００８２】
上記第１実施形態では、連通路２を断面円形に形成したが、必ずしもこれに限られるものではなく、断面楕円形や断面長円形であっても良い。また、連通路２は、その周縁が底面１ｄ及び上面１ｅの外縁に交差しない位置に配置されたが、周縁の一部が底面１ｄ及び上面１ｅの外縁に交差する位置に配置されても良い。
【００８３】
上記第１実施形態および第２実施形態では、複数の連通路２，２０２が等間隔（間隔Ｗ１，Ｗ３）で列設される場合を説明したが、必ずしもこれに限られるものではなく、不等間隔であっても良い。また、第３実施形態では、一方の側面１ｃ側の連通路３０２と他方の側面１ｃ側の連通路３０２とが同じ位置に形成される場合を説明したが、互いに異なる位置に形成されても良い。
【符号の説明】
【００８４】
１，２０１，３０１    シアプレート
１ａ                  当接面
１ｂ                  背面
１ｃ                  側面
１ｄ                  底面
１ｅ                  上面
２，２０２，３０２    連通路
Ｐ                    台座
Ｓ                    支持部材
Ｂ                    ボルト